(57)【要約】      （修正有）【課題】チャンネル材を介してパネルを取付ける際に、極めて簡単な作業で取付けることができるチャンネル材用パネル取付金具を提供する。【解決手段】予め柱Ｌに固定されるネジ挿通孔１Ａを有する支持体１を設ける。チャンネル材Ｃの下向きのリップ部Ｃ１の内側に回転係止する係止板２を設ける。係止板２の雌ネジ部２Ａと支持体１のネジ挿通孔１Ａとをネジ止めする固定ボルト３を設ける。係止板２を介して支持体１にチャンネル材Ｃをネジ止めする。このチャンネル材Ｃのリップ部Ｃ１にパネル支持金具を連結する。このパネル支持金具でパネル材を固定する。【選択図】図２
0003200918.tif 000002
【実用新案登録請求の範囲】
【請求項１】
柱に固定されたチャンネル材にパネル支持金具を介してパネル材を取り付けるように構成したチャンネル材用パネル取付金具であって、
予め柱に固定されるＬ字状金具にて設けられチャンネル材を載置する載置面にネジ挿通孔を有する支持体と、
該支持体上に載置されたチャンネル材の下向きのリップ部の開口部側から挿入して前記リップ部の内側に回転係止するように形成された係止板と、
該係止板に設けられた雌ネジ部に支持体の下面から支持体のネジ挿通孔を通してネジ止めする固定ボルトとを備え、
係止板を介して支持体にネジ止めされたチャンネル材のリップ部にパネル支持金具を連結し、該パネル支持金具でパネル材を固定するように構成したことを特徴とするチャンネル材用パネル取付金具。
【請求項２】
前記係止板は長方形状を成し、該係止板に形成される前記雌ネジ部は該係止板の長手中央よりも偏芯する位置にバーリング加工され、該雌ネジ部を中心にして係止板の長手両端部方向に長辺部と短辺部とを形成し、該係止板が前記固定ボルトで前記リップ部内側にネジ止めされるときに、該係止板の長辺部側端部が前記チャンネル材の柱側の内側面に当接し、固定ボルトの締付に伴ってチャンネル材を押圧するように構成された請求項１記載のチャンネル材用パネル取付金具。
【請求項３】
前記支持体に前記ネジ挿通孔を２個併設し、前記チャンネル材の連結端部を並べてネジ止めするように構成した請求項１記載のチャンネル材用パネル取付金具。
【考案の詳細な説明】
【技術分野】
【０００１】
本考案は、チャンネル材を介してパネルを取り付けるのに好適なチャンネル材用パネル取付金具に関する。
【背景技術】
【０００２】
サイディングやスレート等のパネル材を柱に固定する場合、柱に固定したチャンネル材のリップ溝に、パネル材に連結した連結金具を固定する工事がある。このような作業において、チャンネル材Ｃを柱Ｌに固定するには、柱Ｌの側面にＬ字金具１０を固定し、このＬ字金具１０にチャンネル材Ｃを載置し、固定ボルト２０でＬ字金具１０にチャンネル材Ｃをネジ止めする作業が行われる（図７参照）。すなわち、チャンネル材ＣとＬ字金具１０とにボルト貫通孔を形成し、これらのボルト貫通孔を重ねた状態で固定ボルト２０を挿通し、固定ナット３０にて固定する作業である。
【０００３】
特許文献１に記載されているパネル保持構造には、チャンネル材を使用して太陽光パネルを保持する構成が記載されている。この構造においても、チャンネル材を柱状のアンカー材に固定するには、アンカー材とチャンネル材とにボルト貫通孔を形成し、これらのボルト貫通孔を重ねた状態で固定ボルトを挿通し、ナットにて固定する構造が採用されている。
【先行技術文献】
【特許文献】
【０００４】
【特許文献１】特開２０１４-５６５４号公報
【考案の概要】
【考案が解決しようとする課題】
【０００５】
ところが、このようなチャンネル材を固定する従来の作業では、前加工の作業としてチャンネル材にボルト貫通孔を開穿する作業が必要になっていた。しかも、チャンネル材に加工するボルト貫通孔は、予め柱に固定している支持体のボルト貫通孔の位置に合わせて開穿する必要がある。
【０００６】
更に、チャンネル材と支持体とを連結する作業では、これらのボルト貫通孔を重ねた状態で固定ボルトを挿通し、ナットにて固定する作業になる。そのため、従来のチャンネル材固定作業は、加工作業や連結作業に極めて多くの手間を要するものであった。
【０００７】
そこで本考案は、上述の課題を解消すべく案出されたもので、チャンネル材を介してパネルを取付ける際に、極めて簡単な作業で取付けることができるチャンネル材用パネル取付金具の提供を目的とするものである。
【課題を解決するための手段】
【０００８】
上述の目的を達成すべく本考案における第１の手段は、柱Ｌに固定されたチャンネル材Ｃにパネル支持金具Ｑを介してパネル材Ｐを取り付けるように構成したチャンネル材用パネル取付金具であって、予め柱Ｌに固定されるＬ字状金具にて設けられチャンネル材Ｃを載置する載置面にネジ挿通孔１Ａを有する支持体１と、該支持体１上に載置されたチャンネル材Ｃの下向きのリップ部Ｃ１の開口部側から挿入して前記リップ部Ｃ１の内側に回転係止するように形成された係止板２と、該係止板２に設けられた雌ネジ部２Ａに支持体１の下面から支持体１のネジ挿通孔１Ａを通してネジ止めする固定ボルト３とを備え、係止板２を介して支持体１にネジ止めされたチャンネル材Ｃのリップ部Ｃ１にパネル支持金具Ｑを連結し、該パネル支持金具Ｑでパネル材Ｐを固定するように構成したことにある。
【０００９】
第２の手段において、前記係止板２は長方形状を成し、該係止板２に形成される前記雌ネジ部２Ａは該係止板２の長手中央よりも偏芯する位置にバーリング加工され、該雌ネジ部２Ａを中心にして係止板２の長手両端部方向に長辺部２Ｂと短辺部２Ｃとを形成し、該係止板２が前記固定ボルト３で前記リップ部Ｃ１内側にネジ止めされるときに、該係止板２の長辺部２Ｂ側端部が前記チャンネル材Ｃの柱Ｌ側の内側面に当接し、固定ボルト３の締付に伴ってチャンネル材Ｃを押圧するように構成されたものである。
【００１０】
第３の手段において、前記支持体１に前記ネジ挿通孔１Ａを２個併設し、前記チャンネル材Ｃの連結端部を並べてネジ止めするように構成している。
【考案の効果】
【００１１】
本考案の請求項１によると、予め柱Ｌに固定されるＬ字状金具にて設けられチャンネル材Ｃを載置する載置面にネジ挿通孔１Ａを有する支持体１と、該支持体１上に載置されたチャンネル材Ｃの下向きのリップ部Ｃ１の開口部側から挿入して前記リップ部Ｃ１の内側に回転係止するように形成された係止板２と、該係止板２に設けられた雌ネジ部２Ａに支持体１の下面から支持体１のネジ挿通孔１Ａを通してネジ止めする固定ボルト３とを備え、係止板２を介して支持体１にネジ止めされたチャンネル材Ｃのリップ部Ｃ１にパネル支持金具Ｑを連結し、該パネル支持金具Ｑでパネル材Ｐを固定するように構成したことにより、チャンネル材Ｃにネジ孔を加工せずに支持体１とチャンネル材Ｃとを固定することができる。
【００１２】
しかも、作業時に、支持体１とチャンネル材Ｃとのネジ挿通孔を合わせて固定ボルト２０を挿通し、固定ナット３０で固定するといった従来の作業も必要ないので、極めて簡単な取付け作業になる。この結果、加工作業や連結作業に多くの手間を要せずに済み、チャンネル材を介してパネルを取付ける作業を極めて簡単に行うことができる。
【００１３】
請求項２のように、係止板２は長方形状を成し、雌ネジ部２Ａは係止板２の長手中央よりも偏芯する位置にバーリング加工され、該雌ネジ部２Ａを中心にして係止板２の長手両端部方向に長辺部２Ｂと短辺部２Ｃとを形成し、該係止板２が前記固定ボルト３でリップ部Ｃ１内側にネジ止めされるときに、該係止板２の長辺部２Ｂ側端部がチャンネル材Ｃの柱Ｌ側の内側面に当接し、固定ボルト３の締付に伴ってチャンネル材Ｃを押圧するように構成したことにより、支持体１に係止板２を固定ボルト３でネジ止めすると、係止板２がチャンネル材Ｃを柱Ｌ側に押圧する作用が生じる。
【００１４】
この結果、チャンネル材Ｃと柱Ｌとを密接状態で固定することが可能になり、チャンネル材Ｃと柱Ｌとを一体化した優れた連結強度が得られるものである。
【００１５】
請求項３によると、支持体１に前記ネジ挿通孔１Ａを２個併設し、チャンネル材Ｃの連結端部を並べてネジ止めするように構成しているので、長尺のチャンネル材Ｃを使用する場合でも、強固な連結力が得られる。
【図面の簡単な説明】
【００１６】
【図１】本考案の使用例を示す正面図である。
【図２】本考案の一実施例を示す分解斜視図である。
【図３】本考案の係止板を示す側断面図である。
【図４】本考案係止板によるチャンネル材内部の固定状態を示す平面図である。
【図５】チャンネル材にパネル材を固定した状態を示す側断面図である。
【図６】本考案支持体の他の実施例を示す分解斜視図である。
【図７】従来のチャンネル材の固定状態を示す斜視図である。
【考案を実施するための形態】
【００１７】
本考案によると、チャンネル材を介してパネルを取付ける際に、極めて簡単な作業で取付けることができるようになった。
【００１８】
以下、本考案の実施例を説明する。本考案は、柱Ｌに固定されたチャンネル材Ｃにパネル支持金具Ｑを介してパネル材Ｐを取り付けるように構成したものである（図１参照）。例えば、サイディングやスレート等のパネル材Ｐを柱Ｌに固定する際に、柱Ｌに固定したチャンネル材Ｃのリップ部Ｃ１に、パネル支持金具Ｑを連結し、該パネル支持金具Ｑにてパネル材Ｐを固定する工事に使用するものである。
【００１９】
本考案の主要構成は、支持体１、係止板２、固定ボルト３から成る。支持体１は、予め柱Ｌに固定されるＬ字状金具で、チャンネル材Ｃを載置する載置面にネジ挿通孔１Ａを形成している（図２参照）。図示の支持体１は、柱Ｌの側面に固定する固定片１Ｂと、この固定片１Ｂから水平方向に屈曲形成された載置片１Ｃとで構成したもので、載置片１Ｃの上面をチャンネル材Ｃの載置面としたものである。
【００２０】
この載置片１Ｃに開穿するネジ挿通孔１Ａは、通常１個のネジ挿通孔１Ａが形成される（図２参照）。また、チャンネル材Ｃの端部を連結する支持体１では、支持体１の固定片１Ｂに２個のネジ挿通孔１Ａを併設したものが使用される（図６参照）。そして、一対のチャンネル材Ｃの端部をこの支持体１上に固定する。
【００２１】
係止板２は、支持体１上に載置されたチャンネル材Ｃの内部に挿入して使用する矩形状の金具で、下向きのリップ部Ｃ１の開口部側からチャンネル材Ｃ内部に挿入してリップ部Ｃ１の内側に回転係止するように形成されている（図３参照）。
【００２２】
図示の係止板２は長方形状を成し、雌ネジ部２Ａはバーリング加工により形成している（図２参照）。そして、この雌ネジ部２Ａの位置は、係止板２の長手中央よりも偏芯する位置に配置して雌ネジ部２Ａを中心にした係止板２の長手両端部に長辺部２Ｂと短辺部２Ｃとを形成している（図３参照）。
【００２３】
更に、固定ボルト３で係止板２をリップ部Ｃ１内側にネジ止めするときに、この係止板２の長辺部２Ｂ側の端部がチャンネル材Ｃの柱Ｌ側の内側面に当接する（図４参照）。そして、固定ボルト３の締付に伴って係止板２がチャンネル材Ｃを押圧するように構成している。すなわち、固定ボルト３は、係止板２の雌ネジ部２Ａに直接ネジ止めするので、固定ボルト３の締付回転力が係止板２に直接伝わることになる。
【００２４】
一方、係止板２の長辺部２Ｂは、チャンネル材Ｃの柱Ｌ側の内側面に当接しているので固定ボルト３で係止板２を締め付けると、長辺部２Ｂの当接部分に押圧力が加わることになる（図４参照）。そうすると、支持体１のネジ挿通孔１Ａ内の固定ボルト３の位置がネジ挿通孔１Ａの柱Ｌの反対側で停止し、最終的に係止板２の長辺部２Ｂがチャンネル材Ｃの内側面を柱Ｌ方向に押圧する（図３参照）。このように、係止板２がリップ部Ｃ１内側にネジ止めされるときに、固定ボルト３の締付回転力が係止板２に伝わり、係止板２の長辺部２Ｂの端部側がチャンネル材Ｃの内側面に圧着してチャンネル材Ｃを柱Ｌ方向に押圧する作用が生じるものである。
【００２５】
固定ボルト３は、支持体１と係止板２とをネジ止めするボルト状部材である。すなわち、支持体１の下面から支持体１のネジ挿通孔１Ａを通し、チャンネル材Ｃ内部に配置した係止板２の雌ネジ部２Ａにてネジ止めすることで、支持体１にチャンネル材Ｃを固定する（図３参照）。このとき、係止板２の雌ネジ部２Ａはバーリング加工されたものなので、固定ボルト３の締付回転力は、係止板２に直接伝わることになる（図４参照）。
【００２６】
本考案取付金具を使用してパネル材Ｐを固定するには、係止板２を介して支持体１にネジ止めされたチャンネル材Ｃのリップ部Ｃ１にパネル支持金具Ｑを連結する。そして、こりのパネル支持金具Ｑでパネル材Ｐを固定する（図５参照）。図示のパネル支持金具Ｑは略Ｊ字形状を成しているが、このパネル支持金具Ｑはパネル材Ｐの材質や形状等に応じて任意に選択できるものである。
【００２７】
尚、本考案の各構成は図示例に限定されるものではなく、支持体１や係止板２、あるいはチャンネル材Ｃやパネル支持金具Ｑ等の形状やサイズ、用途などの変更は、本考案の要旨を変更しない範囲で任意に変更することができる。
【符号の説明】
【００２８】
Ｃ  チャンネル材
Ｃ１  リップ部
Ｌ  柱
Ｐ  パネル材
Ｑ  パネル支持金具
１  支持体
１Ａ  ネジ挿通孔
１Ｂ  固定片
１Ｃ  載置片
２  係止板
２Ａ  雌ネジ部
２Ｂ  長辺部
２Ｃ  短辺部
３  固定ボルト
１０  Ｌ字金具
２０  固定ボルト
３０  固定ナット
【図１】
0003200918.tif 000003
【図２】
0003200918.tif 000004
【図３】
0003200918.tif 000005
【図４】
0003200918.tif 000006
【図５】
0003200918.tif 000007
【図６】
0003200918.tif 000008
【図７】
0003200918.tif 000009